(57)【要約】 【構成】  後身頃３２の約半数の編目を後針床の空針で支持し、後身頃３２の編幅を小さくする。また後身頃３２側へ前身頃３１の左右両端部４７，４８を回転移動し、前身頃本体３１ａと両端部４７，４８の左右に、両袖を移動させる。後袖を前袖の左右へ回転移動させ、両端部４７，４８を左右へ移動させ、後身頃３２の編幅を拡大する。前身頃本体３１ａに前袖を接合し、前身頃の両端部に後袖を接合し、前身頃の両端部を前針床へ移し戻して、前身頃本体３１ａと接合する。【効果】  両袖を前身頃内に接続したニットウェアが得られる。【選択図】     図３
2008285781.tif 000002
【特許請求の範囲】
【請求項１】
a:  横編機の少なくとも２枚の針床の左右方向中央部に相対的に編幅が大きい第１の筒状編地を配置し、前記針床の左右に相対的に編幅が小さい第２，第３の筒状編地を配置すると共に、第１〜第３の編地での前後一方の編地を各々第１の針床に、第１〜第３の編地での前後他方の編地を各々第２の針床に配置するステップと、
b:  第１の筒状編地の前後一方の編地を、第１の針床の中央部へ向けて左右両側から移動させて、編幅を縮小すると共に、第１の筒状編地の前後他方の編地の左右両端部を、第２の針床から、第１の針床での前記一方の編地の左右へと、回転移動させるステップと、
c:  第２及び第３の筒状編地の前後一方の編地を、各々第１の針床から、第２の針床へと回転移動させて、第２及び第３の筒状編地の前後他方の編地の左右へ配置すると共に、第２及び第３の筒状編地の前後一方の編地の回転移動で生じた空針の側へ、第１の針床へ回転移動させた前記左右両端部を移動させ、さらに前記編幅を縮小した編地を第１の針床の左右へ移動させて編幅を増すステップと、
d:  第１の筒状編地での前記他方の編地から左右両端部を除いた編地本体の左右へ、第２及び第３の筒状編地の前後他方の編地を接合すると共に、少なくとも前記編地本体を編成するステップと、
e:  前記左右両端部を第２の針床へ回転移動し、前記左右両端部へ第２及び第３の筒状編地の前後一方の編地を接合すると共に、少なくとも前記左右両端部を編成し、前記左右両端部を前記編地本体の左右に配置するステップと、
f:  前記左右両端部と前記編地本体を接合するステップ、
とを行う、前後非対称な筒状編地の編成方法。
【請求項２】
前記ステップbで編幅を縮小する際に、第１の編地の前後一方の編地の編目の約半数を第１の針床の空針に係止し、
前記ステップcで編幅を増す際に、第１の編地の前後一方の編地の、編目と編目の間に空針を設ける、ことを特徴とする、請求項１の前後非対称な筒状編地の編成方法。
【請求項３】
前記ステップbとステップcとの間に、
g:  前記左右両端部の編目と第２及び第３の編地での前後一方の編地の編目とでマチを形成し、かつ前記編地本体の編目と第２及び第３の編地での前後他方の編地の編目とでマチを形成する、ステップを行うことを特徴とする、請求項２の前後非対称な筒状編地の編成方法。
【請求項４】
ステップa、ステップb、ステップｇ、ステップc、ステップd、ステップc、ステップe、ステップｆの順に、ステップcを２回行うことを特徴とする、請求項３の前後非対称な筒状編地の編成方法。
【発明の詳細な説明】
【技術分野】
【０００１】
この発明は筒状編地の編成に関し、特に前後非対称に袖などを接続した筒状編地の編成に関する。
【背景技術】
【０００２】
発明者は前後非対称なニットウェアの編成方法を提案した（特許文献１：特開２００５−２３４４０，特許文献２：特開２００５−５４２９６）。これらの先行特許では、袖山のサイズを前後非対称にし、前袖側の袖山を後袖側の袖山よりも小さくすることや、前身頃と前袖の間に、後身頃と後袖の間よりも大きなマチを形成することにより、袖を前身頃側に寄せる。しかしながら前後非対称な袖山や前後非対称なマチでは、袖は前身頃と後身頃の境界に接続され、袖を完全に前身頃内に接続することは難しい。例えば袖山を前後非対称にすると、後側の大きな袖山が前側に張り出すが、袖の後部は後身頃に接続されている。前側のマチを後側よりも大きくすると、袖は前側に寄って来るが、袖が前身頃と後身頃の双方に接続されていることに変わりはない。なお特許文献３（ＵＳＰ６２１６４９４）は、手袋の胴に向かって親指の筒状編地を移動させ、親指を手袋の胴に接続することを提案している。 
【特許文献１】特開２００５−２３４４０
【特許文献２】特開２００５−５４２９６
【特許文献３】ＵＳＰ６２１６４９４
【発明の開示】
【発明が解決しようとする課題】
【０００３】
この発明の課題は、前身頃の内部に袖を接続したニットウェア等の編成を可能にすることにある。
この発明での追加の課題は、編地の移動に伴う糸切れを少なくすることにある。
【課題を解決するための手段】
【０００４】
この発明の前後非対称な筒状編地の編成方法では、
a:  横編機の少なくとも２枚の針床の左右方向中央部に相対的に編幅が大きい第１の筒状編地を配置し、前記針床の左右に相対的に編幅が小さい第２，第３の筒状編地を配置すると共に、第１〜第３の編地での前後一方の編地を各々第１の針床に、第１〜第３の編地での前後他方の編地を各々第２の針床に配置するステップと、
b:  第１の筒状編地の前後一方の編地を、第１の針床の中央部へ向けて左右両側から移動させて、編幅を縮小すると共に、第１の筒状編地の前後他方の編地の左右両端部を、第２の針床から、第１の針床での前記一方の編地の左右へと、回転移動させるステップと、
c:  第２及び第３の筒状編地の前後一方の編地を、各々第１の針床から、第２の針床へと回転移動させて、第２及び第３の筒状編地の前後他方の編地の左右へ配置すると共に、第２及び第３の筒状編地の前後一方の編地の回転移動で生じた空針の側へ、第１の針床へ回転移動させた前記左右両端部を移動させ、さらに前記編幅を縮小した編地を第１の針床の左右へ移動させて編幅を増すステップと、
d:  第１の筒状編地での前記他方の編地から左右両端部を除いた編地本体の左右へ、第２及び第３の筒状編地の前後他方の編地を接合すると共に、少なくとも前記編地本体を編成するステップと、
e:  前記左右両端部を第２の針床へ回転移動し、前記左右両端部へ第２及び第３の筒状編地の前後一方の編地を接合すると共に、少なくとも前記左右両端部を編成し、前記左右両端部を前記編地本体の左右に配置するステップと、
f:  前記左右両端部と前記編地本体を接合するステップ、
とを行う。
【０００５】
好ましくは、前記ステップbで編幅を縮小する際に、第１の編地の前後一方の編地の編目の約半数を第１の針床の空針に係止し、前記ステップcで編幅を増す際に、第１の編地の前後一方の編地の、編目と編目の間に空針を設ける。
【０００６】
また好ましくは、前記ステップbとステップcとの間に、
g:  前記左右両端部の編目と第２及び第３の編地での前後一方の編地の編目とでマチを形成し、かつ前記編地本体の編目と第２及び第３の編地での前後他方の編地の編目とでマチを形成する、ステップを行う。
特に好ましくは、ステップa、ステップb、ステップｇ、ステップc、ステップd、ステップc、ステップe、ステップｆの順に、ステップcを２回行う。
なおこの発明では、最初に後身頃の編幅の縮小が必要であるなどのように、編成を実行するために自然に順序が生じるものを除き、編成ステップの順序を適宜に変更できる。
【０００７】
この発明での用語を実施例等と対応させると、例えば以下のようになる。
第１の筒状編地：          身頃                                    
第２及び第３の筒状編地：  両袖
前後一方の編地：          後身頃、両後袖
前後他方の編地：          前身頃、両前袖
第１の針床：              後針床    （前針床でも可）    
第２の針床：              前針床    （後針床でも可）    
（前身頃の）左右両端部：  前身頃で第１の針床へ移動した部分  
（前身頃の）編地本体：    前身頃で第１の針床へ移動しなかった部分  
【発明の効果】
【０００８】
この発明では、ステップbで、第１の筒状編地の例えば後編地の編幅を縮小する。ここで、編地の中央へ向けて後編地を左右から第１の針床内で移動させることにより、編幅を縮小する。同じ針床の左右へ編地を移動させることを、寄せるということがある。後編地の編幅を縮小することにより、第１の針床の後編地の左右に生じたスペースに、第１の筒状編地の前後他方の編地の左右両端部を回し込む。２つの針床の間で、編地を時計回りあるいは反時計回りに回転させるように移動させることを、回転移動、あるいは回し込みという。
次にステップcで、両袖などの第２，第３の編地の例えば後編地を第１の針床から第２の針床へ回転移動させ、これによって生じた第１の針床の空きスペースへ、第１の編地の左右両端部を移動させ、両端部の移動により生じたスペースを用いて、編幅を縮小した後編地等の編幅を増す。
そしてステップdで、第２，第３の編地の例えば前編地を、前記編地本体に接合する。
更にステップeで、第１の編地の左右両端部を元の針床へ回転移動し、第２，第３の編地の例えば後編地を第１の編地の左右両端部に接合する。これによって、第１の編地の左右両端部は第２の針床上で編地本体の左右に配置され、回転移動前に第２，第３の編地の一部を左右両端部に接合しても良い。
以上によって、第２及び第３の編地は第１の編地の例えば前編地内に接合されたので、ステップfで、第１の編地の左右両端部を編地本体と接合すると、第２及び第３の編地の接合が完了する。
【０００９】
この発明では、両袖などの２つの筒状編地を、身頃などのより大きな筒状編地の内部に接続できる。そしてこのような筒状編地は、動物の衣類やおむつなどに利用できる。
なお編幅を縮小するには、例えば２枚ベッド横編機で、筒状編成に用いる空針に編目を係止すると良い。また４枚ベッド横編機での空針や、トランスファージャックなどに編目を係止しても良く、さらに複合針を用いてホールディングにより１本の針に２つの編目を係止しても良い。
【００１０】
好ましくは、ステップｂとステップｃとの間で、左右両端部の編目と第２及び第３の編地での前後一方の編地の編目とでマチを形成し、また編地本体の編目と第２及び第３の編地での前後他方の編地の編目とでマチを形成する。すると、マチにより多数の編目を用いてこれらの編地を互いに連結できるので、以降の操作で編目を移動させる際の糸切れを防止できる。
マチの形成後に、１ステップで例えば後編地の編幅を元の幅へ復帰させると、マチが引き伸ばされる。そこで、ステップcを２回に分けて実行し、ステップa、ステップb、ステップｇ、ステップc、ステップd、ステップc、ステップe、ステップｆの順に行うと、ステップdでの編成により生じた編目が、マチと編地本体の間に介在するので、マチに加わる力を軽減できる。
【発明を実施するための最良の形態】
【００１１】
以下にこの発明を実施するための最良の形態を示すが、これに限るものではない。
【実施例】
【００１２】
図１〜図８に、実施例での筒状編地の編成方法を示す。図１に編成対象のニットウェア１を示し、ニットウェア１は犬などの動物の衣類である。２は前身頃で、その背面には図示しない後身頃があり、左袖３と右袖４とが完全に前身頃２の内部に接合され、図に見えているのは袖３，４の後袖の部分である。５は後足側のリブ組織、６は首側のリブ組織、７，８は袖３，４に設けたリブ組織である。
【００１３】
図２はおむつなどのニットウェア１１を示し、１２は前胴で、背面側には図示しない後胴があり、１３は腹部のリブ組織、１４，１５はリブ組織の足部である。
【００１４】
実施例では、完全に前身頃の内部に、左右両袖や左右両足を接合したニットウェアを無縫製で編成する。用いる横編機は２枚ベッドで、一方の針床が他方の針床に対してラッキング自在で、針床間で目移しが自在である。２枚ベッドの横編機に代えて、４枚ベッドの横編機などでもよい。実施例では前身頃と両前袖を前針床で編成し、後身頃と両後袖を後ベッドで編成し、２枚ベッドの横編機で編成し、編目と編目との間に１針ずつ空針を用意する。ただし前身頃と両前袖を後針床で編成し、後身頃と両後袖を前針床で編成しても良い。
【００１５】
図３〜図７に、実施例での筒状編地の編成を示す。各図において、３１は前身頃で、第１の針床（前針床）上で編成され、３１ａが前身頃本体で、前針床から後針床への目移しを行わない部分である。３２は後身頃で、第２の針床（後針床）上で編成され、袖の接合の過程で編目の約半数を空針に保持させることにより、編幅を約１／２に縮小する。なお編幅の縮小では、１／２の幅に縮小するとの比率自体に意味があるのではなく、前身頃３１の両端部４７，４８を後身頃側に回転移動させることに意味がある。従って、正確に１／２に編幅を縮小する必要はない。図３，図４に袖と身頃との接合操作を示す。前身頃３１と後身頃３２とからなる身頃は筒状に編成され、左前袖３３と左後袖３５とからなる左袖も同様に筒状に編成されている。さらに右前袖３４と右後袖３６とからなる右袖も筒状に編成され、これらは、袖の接合開始時に第１及び第２の針床上で、身頃３１，３２の左右に配置されている。
【００１６】
後身頃３２の編幅を例えば１／２に縮小し、前身頃３１の両端部４７，４８を、後身頃３２側へ回転移動させる。そして例えばこれと並行して、左右の両袖を身頃側へと移動させる（ステップ１）。回転移動は、針床間での目移しと、針床のラッキングとにより、編地をあたかも回転させるように移動させることである。回転移動のモデルを図４のステップ１の右側に示す。前身頃の端部４７の外側端部の編目がＥ、前身頃本体３１ａとの境界の編目がＦとすると、編目Ｅから始めて編目Ｆへと、前身頃本体３１ａとの接続順序が保たれるように、前身頃の端部４７を後針床へ移動させる。
【００１７】
後身頃の編幅の縮小を図６に模式的に示す。後身頃の編目の約半数を前針床側に移動し、後針床をラッキングして、１目ずつ後身頃の編目を後針床へ移し戻す。またこれと並行して前身頃３１の左右両端の編目を後針床側へ回転移動させる。このようにして後身頃３２の編幅を約１／２に減少させる。前身頃側では左右両端部４７，４８を後針床側へ回転移動させるので、前針床上の編幅が減少する。そして後身頃の編幅を減少させ、左右両端部４７，４８を後針床へ回転移動させるのと例えば同時に、左右両袖を前後の針床の中央部へ向けて移動させる。
【００１８】
図３の記号Ａ，ａは前袖と後袖の境界の編目、Ｄ，ｄは後身頃３２の両端の編目である。またＢ，ｂは後袖３５，３６の、後身頃側の端部編目である。３７〜４０はマチ形成部で、前身頃本体３１ａ及び端部４７と、袖３３，３５との間にマチ５０を形成する。また前身頃本体３１ａ及び端部４８と、袖３４，３６との間にマチ５１を形成する（ステップ２）。マチの形成により、身頃と両袖は広い範囲で結合されるので、以降の過程で編目を移動させる際の糸切れを防止できる。４２，４３は回転移動部で、両端部４７，４８のうちでマチ５０，５１の形成後も、後針床の針に係止されている編目から成る。
【００１９】
マチの形成後、後袖３５，３６を前袖３３，３４側へ回転移動させ、これによって生じた後針床のスペースへ回転移動部４２，４３と、後身頃３２とを移動させて、後身頃３２の編幅を拡大する（ステップ３）。次に、前袖３３，３４を前身頃本体３１ａ側へ移動させながら前身頃本体３１ａに接合し、接合毎に例えば１〜複数コース、前身頃本体３１ａを編成して、新たな編目を形成する。前袖３３，３４の編目の数が減少するので、これを補うように後袖３５，３６をさらに前針床側へ回転移動させる（ステップ４）。
【００２０】
前身頃本体３１ａを多数コース編成したので、前身頃本体３１ａとマチ５０，５１の間に、前袖の接合過程で前身頃本体３１ａに編成された編目が介在する。このためマチ５０，５１をさらに引き延ばしても、糸切れする恐れがなくなる。そこで後袖３５，３６を例えば完全に前針床側へ回転移動させ、これによって生じた後針床のスペースへ回転移動部４２，４３を移動させて、後身頃３２を例えば元の編幅へ復帰させる（ステップ５）。
【００２１】
次に回転移動部４２，４３を前針床にある後袖３５，３６側へ移動させながら接合し、接合毎に例えば１コース、後身頃３２と回転移動部４２，４３とを編成する（ステップ６）。後袖３５，３６の接合を進めると、前針床側の編幅が不足してくる。これはマチ５０，５１の形成のため、後身頃３２の編目の数が前身頃３１の編目の数よりも多いためである。そこで後身頃３２の両端部を前針床へ移動させ、回転移動部４５，４６とする。この状態を図３にステップ６’として示す。
【００２２】
後袖３５，３６の回転移動部４２，４３への接合が完了すると、前身頃本体３１ａの両端部と、回転移動部４２，４３とを接合する。なお前身頃本体３１ａと両端部４２，４３は、ステップ２でマチ５０，５１により接合されたものの、それ以降の編成操作では接合されていない。そこで前身頃本体３１ａと両端部４２，４３を接合して例えば二重目を形成し、前身頃３１の全体や後身頃３２を適宜のコース数編成する（ステップ７）。
【００２３】
図５に、袖の接合の変形例を示す。図３のステップ２のマチ５０，５１の形成を行った後に、後身頃３２を元の編幅に戻す。このため後袖３５，３６を前針床へ回転移動させる（ステップ１３）。次に前袖３３，３４を前身頃本体３１ａへ接合し、これに伴って前針床の編幅が小さくなると、後袖３５，３６を前針床へ回転移動させる（ステップ１４）。前袖の接合を完了した状態をステップ１４’として示す。この後、図３のステップ６，７を実行する。  
【００２４】
以上のように、実施例では、後針床に後身頃３２の編幅を縮小し、後身頃の両側に前身頃の両端部を配置し、そのさらに両側に左右の後袖を配置する。この時、前針床では、前身頃本体の両側に左右の前袖を配置し、これらを後針床の後身頃や前身頃両端部、両後袖と対向させる。この状態を作るには、後身頃の編幅を減少することが必須である。ここから前袖を前身頃本体に接合し、後袖を前身頃の両端部に接合すれば、身頃の内部に両袖を接合できる。
【００２５】
図７に、後身頃の編幅の拡大を模式的に示す。後身頃の編目を前身頃の空針へ１目ずつ移動し、後針床をラッキングして、前針床から後針床へ後身頃の編目を移し戻すと、後身頃は１針おきに後針床に係止され、編幅が元の編幅に増加する。そして図７の処理を後身頃の両端部から中央部へと、例えば複数回に分けて実行するとよい。
【００２６】
実施例ではマチ５０，５１を形成したが、必ずしも形成しなくてもよい。また実施例では、左右の前袖３３，３４を前身頃本体３１ａに接合した後に、後袖３５，３６を回転移動部４２，４３へ接合した。しかしながらこれらのステップを同時に行い、前袖３３，３４を前身頃本体３１ａに接合しながら、後袖３５，３６を回転移動部４２，４３に接合してもよい。
【００２７】
実施例では２枚ベッドの横編機を用いたが、４枚ベッドの横編機でも同様に編成できる。このような例を図８に示すと、７１，７２は下部針床、７３，７４は上部針床である。最初に、身頃３１，３２などが下部針床７１，７２に空針なしで保持されている。そして後身頃３２の編幅を減少させるため、後身頃３２を下部針床７２と上部針床７４の双方の針で保持する。ここで上部針床７３，７４に代えて、トランスファージャックベッドなどを用いて後身頃の編目を保持してもよい。さらにフックとタングとを備えた複合針を用い、フックで１目を、タングで別の１目を保持することにより、１本の複合針で２個の編目を保持して、後身頃３２の編幅を小さくしてもよい。
【００２８】
実施例で編成する編物は、ウェアに限らず、様々な用途に利用できる。
【図面の簡単な説明】
【００２９】
【図１】実施例で編成した筒状編地の正面図
【図２】変形例の筒状編地の斜視図
【図３】実施例での、筒状編地の編成モデルを示す図
【図４】実施例での、袖の身頃への接続アルゴリズムの前半を示すフローチャート
【図５】変形例での、筒状編地の編成モデルを示す図
【図６】実施例での、後身頃の編幅の減少ステップを模式的に示す図
【図７】実施例での、袖の接合後の編幅の拡大を模式的に示す図
【図８】４枚ベッドの横編機での、後身頃の寄せ（編幅の減少）を示す図
【符号の説明】
【００３０】
１，１１      ニットウェア
２            前身頃
３            左袖
４            右袖
５〜８，１３  リブ組織
１２          前胴
１４，１５    足部
３１          前身頃
３１ａ        前身頃本体
３２          後身頃
３３，３４    前袖
３５，３６    後袖
３７〜４０    マチ形成部
４２，４３    回転移動部
４５，４６    回転移動部
４７，４８    両端部
５０，５１    マチ
７１〜７４    針床
【図１】
2008285781.tif 000003
【図２】
2008285781.tif 000004
【図３】
2008285781.tif 000005
【図４】
2008285781.tif 000006
【図５】
2008285781.tif 000007
【図６】
2008285781.tif 000008
【図７】
2008285781.tif 000009
【図８】
2008285781.tif 000010